(57)【要約】【課題】基板ケースの封止が不完全な状態で遊技機が工場から出荷されてしまう危険性を排除する。【解決手段】第１ケース体５１と第２ケース体５２とで構成され且つ内部に基板３８を格納可能な基板ケース３９と、基板ケース３９内に基板３８を格納した状態で第１ケース体５１と第２ケース体５２とを封止可能な封止手段５９とを備え、封止手段５９は、第１ケース体５１側に一体に設けられた封止ピン６３と、第２ケース体５２側に一体に設けられ且つ封止ピン６３を圧入することにより封止ピン６３が離脱不能に嵌合する封止嵌合部６４とを備え、封止ピン６３が封止嵌合部６４に嵌合して基板ケース３９が封止されたときにはじめて基板ケース３９が完全に閉じた状態となるように構成したものである。【選択図】図１２
2007190251.tif 000002
【特許請求の範囲】
【請求項１】
第１ケース体（５１）と第２ケース体（５２）とで構成され且つ内部に基板（３８）を格納可能な基板ケース（３９）と、該基板ケース（３９）内に前記基板（３８）を格納した状態で前記第１ケース体（５１）と前記第２ケース体（５２）とを封止可能な封止手段（５９）と、前記基板ケース（３９）を装着可能な基板ケース装着部（５３）とを備えた遊技機において、前記封止手段（５９）は、前記第１ケース体（５１）側又は前記第２ケース体（５２）側に一体に設けられた封止ピン（６３）と、前記第２ケース体（５２）側又は前記第１ケース体（５１）側に一体に設けられ且つ前記封止ピン（６３）を圧入することにより該封止ピン（６３）が離脱不能に嵌合する封止嵌合部（６４）とを備え、前記封止ピン（６３）が前記封止嵌合部（６４）に嵌合して前記基板ケース（３９）が封止されたときにはじめて前記基板ケース（３９）が完全に閉じた状態となるように構成したことを特徴とする遊技機。
【請求項２】
前記基板ケース（３９）の前記基板ケース装着部（５３）への装着状態を解除可能にロックするロック手段（６８）を備え、該ロック手段（６８）を、前記基板ケース（３９）が完全に閉じていない状態ではロック不能となるように構成したことを特徴とする請求項１に記載の遊技機。
【請求項３】
前記ロック手段（６８）は、前記基板ケース（３９）側又は前記基板ケース装着部（５３）側に固定的に設けられたロック係合部（６９）と、前記基板ケース装着部（５３）側又は前記基板ケース（３９）側に設けられ且つ前記ロック係合部（６９）に係合するロック位置と前記ロック係合部（６９）に係合しないロック解除位置との間で移動可能なロック操作部（６７）とを備え、前記基板ケース（３９）が完全に閉じていない状態では前記ロック操作部（６７）が前記ロック解除位置から前記ロック位置に移行不可能となるように構成したことを特徴とする請求項２に記載の遊技機。
【請求項４】
前記ロック操作部（６７）の前記ロック位置と前記ロック解除位置との間の移動方向が、前記封止ピン（６３）の前記封止嵌合部（６４）に対する嵌合方向に略直交するように構成され、前記ロック係合部（６９）を前記封止手段（５９）の近傍に設けたことを特徴とする請求項３に記載の遊技機。
【請求項５】
前記基板ケース（３９）は、前記第１ケース体（５１）側を前記基板ケース装着部（５３）側に沿わせつつ該基板ケース装着部（５３）に装着されるように構成され、前記ロック係合部（６９）を前記第２ケース体（５２）上に配置したことを特徴とする請求項４に記載の遊技機。
【請求項６】
前記基板ケース（３９）が閉じた状態で前記第１ケース体（５１）と前記第２ケース体（５２）とを互いに係脱自在に係合させるケース係合手段（１２１）を備え、前記封止手段（５９）による封止が不完全な状態であっても、その状態を保ったままで、前記基板ケース（３９）の撓みにより前記ケース係合手段（１２１）による係合が可能となるように、前記ケース係合手段（１２１）と前記封止手段（５９）とを前記基板ケース（３９）の一辺に沿って所定距離をおいて配置したことを特徴とする請求項１〜５の何れかに記載の遊技機。
【発明の詳細な説明】
【技術分野】
【０００１】
本発明は、パチンコ機、スロットマシン等の遊技機に係り、詳しくは、第１ケース体と第２ケース体とで構成され且つ内部に基板を格納可能な基板ケースと、この基板ケース内に基板を格納した状態で第１ケース体と第２ケース体とを封止可能な封止手段と、基板ケースを装着可能な基板ケース装着部とを備えた遊技機に関するものである。
【背景技術】
【０００２】
パチンコ機等の遊技機では、各種制御基板等が基板ケースに格納された状態で本体裏側等に装着されている。一般的な基板ケースは、第１ケース体と第２ケース体とを開閉可能に組み合わせることにより略箱形となるように構成されており、基板ケースはこれら２つのケース体の間に格納されるようになっている。
【０００３】
ところで、遊技機の基板ケースには、制御基板に対する不正防止のための封止手段を備えたものがある。この封止手段は、基板ケースを現状復帰不能に封止するもので、一旦制御基板を格納したまま封止してしまうと、その一部を破壊して開封の痕跡を残さない限り、内部の制御基板を取り出すことはできないようになっている。
【０００４】
従来の封止手段は、第１，第２ケース体を完全に閉じた状態で、第１，第２ケース体に夫々一体に設けられた被結合部同士を、封止ピンにより離脱不能に結合するように構成されたものが一般的である（例えば特許文献１）。
【特許文献１】特開２００２−３４６１６３号公報
【発明の開示】
【発明が解決しようとする課題】
【０００５】
従来の遊技機では、上記のように基板ケースを完全に閉じた後に封止を行うようになっているため、封止が不完全な状態、或いは封止が全くされていない状態であっても、その基板ケースを遊技機本体に取り付けることが可能であった。従って、例えば基板ケースの封止が不完全な状態で遊技機が工場から出荷されてしまう可能性を否定できなかった。
【０００６】
本発明は、このような従来の問題点に鑑み、基板ケースの封止が不完全な状態で遊技機が工場から出荷されてしまう危険性を排除することを目的とする。
【課題を解決するための手段】
【０００７】
本発明は、第１ケース体５１と第２ケース体５２とで構成され且つ内部に基板３８を格納可能な基板ケース３９と、該基板ケース３９内に前記基板３８を格納した状態で前記第１ケース体５１と前記第２ケース体５２とを封止可能な封止手段５９と、前記基板ケース３９を装着可能な基板ケース装着部５３とを備えた遊技機において、前記封止手段５９は、前記第１ケース体５１側又は前記第２ケース体５２側に一体に設けられた封止ピン６３と、前記第２ケース体５２側又は前記第１ケース体５１側に一体に設けられ且つ前記封止ピン６３を圧入することにより該封止ピン６３が離脱不能に嵌合する封止嵌合部６４とを備え、前記封止ピン６３が前記封止嵌合部６４に嵌合して前記基板ケース３９が封止されたときにはじめて前記基板ケース３９が完全に閉じた状態となるように構成したものである。
【発明の効果】
【０００８】
本発明によれば、基板ケース３９を完全に閉じると同時に封止ピン６３による封止が完了するため、基板ケース３９の封止が不完全な状態で遊技機が工場から出荷されてしまう危険性を排除することができる。
【発明を実施するための最良の形態】
【０００９】
以下、本発明の実施形態を図面に基づいて詳述する。図１〜図１５は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１０】
前面板５の前側には発射用の遊技球を貯留する上皿６が配置され、前面板５の下側で前枠３の前側には余剰球等を貯留する下皿７が配置されている。下皿７の一側、例えば向かって右側には、遊技球を発射する発射手段（図示省略）を操作するための発射ハンドル８が、前枠３の前側に突出状に設けられている。
【００１１】
１１は遊技盤で、ガラス扉４の後側に対応するように、前枠３の裏側の遊技盤装着枠１２（図２）に着脱自在に装着されている。遊技盤１１の前面側には、発射手段から発射された遊技球を案内するガイドレール１３が環状に装着されると共に、そのガイドレール１３の内側の遊技領域１４に、センターケース１５、普通図柄始動手段１６、特別図柄始動手段１７、大入賞手段１８、普通入賞手段１９等の各種遊技部品が配置されている。
【００１２】
遊技盤１１の裏側には、図２に示すように、センターケース１５等の遊技部品を裏側から覆う裏カバー２１が装着されている。裏カバー２１の裏側には、演出制御基板２２が格納された演出基板ケース２３と、主制御基板２４が格納された主基板ケース２５とが着脱自在に装着されている。
【００１３】
前枠３の後側には、遊技盤１１を裏側から押圧して固定するための裏機構板３１が開閉自在に枢着されており、遊技盤装着枠１２の後側に設けられた複数の締結具３２により閉状態で固定可能となっている。
【００１４】
裏機構板３１には、その中央部に裏カバー２１が嵌合する開口部３３が形成され、この開口部３３の上側には遊技球タンク３４とタンクレール３５が、左右一側には払い出し手段３６が、下側には通路ユニット３７の他、電源基板３８が格納された電源基板ケース３９、払い出し制御基板４０が格納された払い出し基板ケース４１等が夫々設けられており、遊技球が大入賞手段１８等に入賞したとき、或いは図外の自動球貸し機から球貸し指令があったときに、遊技球タンク３４内の遊技球をタンクレール３５を経て払い出し手段３６により払い出し、その遊技球を通路ユニット３７を経て上皿６に案内するようになっている。
【００１５】
続いて、電源基板ケース３９の構成及びその取付構造について詳述する。電源基板ケース３９は、図３，図５〜図８等に示すように、第１ケース体５１と第２ケース体５２とを前後に組み合わせることにより全体として背面視略矩形状等の箱形に形成されており、裏機構板３１の背面側に設けられた基板ケース装着部５３（図４）の後側に着脱自在に装着されている。
【００１６】
電源基板ケース３９の周縁部を構成する上下左右の４つの辺５４，５５，５６，５７  （図３参照）のうちの一辺側、例えば左辺５６側には、第１ケース体５１と第２ケース体５２とを結合するための係脱ヒンジ５８が設けられており、その対辺側、例えば右辺５７側には、第１ケース体５１と第２ケース体５２とを封止するための封止手段５９が設けられている。なお、封止手段５９は、電源基板ケース３９に対して係脱ヒンジ５８の反対側又はその近傍に配置すればよく、係脱ヒンジ５８を左辺５６側に設けた本実施形態の場合、封止手段５９を例えば上辺５４及び下辺５５の右端部近傍に配置してもよい。
【００１７】
係脱ヒンジ５８は、左辺５６に沿って例えばその上端部近傍と下端部よりも若干上側との２箇所に配置されており、夫々、第１ケース体５１側に設けられた支持軸部６１（図５）と、第２ケース体５２側に設けられ且つ支持軸部６１に対して摺動回転自在に係合する被支持部６２（図６）とで構成されている。
【００１８】
封止手段５９は、右辺５７に沿って１又は複数箇所、例えばその上下両端側近傍の２箇所に配置されており、夫々、第１ケース体５１側に一体成形された封止ピン６３（図５）と、第２ケース体５２側に一体成形された封止嵌合部６４（図６）とで構成されている。
【００１９】
また、電源基板ケース３９には、基板ケース装着部５３側の固定側受け部６５（図４）に対応する固定側係合部６６と、基板ケース装着部５３側のロック操作部６７と共にロック手段６８を構成するロック係合部６９とが設けられている。
【００２０】
固定側係合部６６とロック係合部６９とは、例えば電源基板ケース３９に対して互いに反対側の位置に配置されており、本実施形態では、固定側係合部６６が係脱ヒンジ５８と同じ左辺５６側に、ロック係合部６９が封止手段５９と同じ右辺５７側に夫々配置されている。
【００２１】
固定側係合部６６は、左辺５６に沿って例えばその下端部近傍と上端部よりも若干下側との２箇所、即ち２つの係脱ヒンジ５８の下側に夫々配置されており、ロック係合部６９は、封止手段５９の近傍、例えば下端側の封止手段５９の上側近傍に配置されている。
【００２２】
電源基板３８は略矩形状で、例えばその表面側の周縁部に沿ってコネクタ７１が１又は複数配置され、それよりも内側に電源スイッチ７２、ヒューズ７３、その他の各種電気部品が装着されており、その表面側を後方に向けた状態で電源基板ケース３９内に格納されるようになっている。また、電源基板３８には、例えばその周縁部又はその近傍に位置決め用の孔、切欠等（図示省略）が設けられている。
【００２３】
第１ケース体５１は、例えば透明な合成樹脂製で、図５，図７〜図９等に示すように、電源基板３８の裏面側（前面側）を覆う底壁部８１と、この底壁部８１の周縁部に沿って配置され且つ後ろ側、即ち電源基板３８側に突設された周設リブ８２と、係脱ヒンジ５８を構成する支持軸部６１と、封止手段５９を構成する封止ピン６３とを例えば一体に備えている。
【００２４】
支持軸部６１は、左辺５６側の周設リブ８２から外向き、即ち左向きに突設された例えば上下一対の支持部８３と、これら一対の支持部８３の先端部間に架設された軸部８４とを一体に備えており、これら支持部８３、軸部８４及び周設リブ８２の間が前後方向の係合孔８５となっている。
【００２５】
また、底壁部８１の右辺５７側の縁部には、例えばこの底壁部８１の一部から外向き、即ち右向きに封止底壁部８６が例えば略矩形状に延設されており、この封止底壁部８６から後ろ向き、即ち第２ケース体５２側に封止ピン６３が突設されている。
【００２６】
封止ピン６３は、図７〜図１２等に示すように、後ろ向きに突設されたピン軸部８７と、そのピン軸部８７の先端側に設けられたピン頭部８８とを一体に備えている。ピン軸部８７は例えば長手方向（前後方向）に略一定の断面矩形状に形成されている。また、ピン頭部８８は、図１１に示すように、その後端部８８ｂがピン軸部８７よりも外側に張り出し、先端部８８ａがピン軸部８７よりも細い略楔形に形成されている。
【００２７】
第２ケース体５２は、例えば透明な合成樹脂製で、図６〜図９等に示すように、第１ケース体５１の外形に沿って設けられた周壁部９１と、この周壁部９１の後端側に設けられ且つ第１ケース体５１側の底壁部８１に対向する表壁部９２と、係脱ヒンジ５８を構成する被支持部６２と、封止手段５９を構成する封止嵌合部６４と、固定側係合部６６と、ロック手段６８を構成するロック係合部６９とを例えば一体に備えている。
【００２８】
周壁部９１は、例えば第１ケース体５１側の周設リブ８２の外側に嵌合可能な例えば矩形枠状に形成されている。
【００２９】
表壁部９２には、部分的に後方への張り出し量、即ち第１ケース体５１側の底壁部８１からの距離が小さい１又は複数の段部９２ａ〜９２ｃが設けられている。段部９２ａは、電源基板３８側のコネクタ７１に対応して例えば周壁部９１に沿って所定幅で設けられており、コネクタ７１が内側（前側）から嵌脱自在に嵌合するコネクタ嵌合孔９３を１又は複数備えている。
【００３０】
また、段部９２ｂは、電源基板３８側の電源スイッチ７２に対応する位置に設けられており、電源スイッチ７２が内側（前側）から嵌脱自在に嵌合する電源スイッチ嵌合孔９４を備えている。更に、段部９２ｃは、電源基板３８側のヒューズ７３に対応する位置に設けられており、ヒューズ７３が内側（前側）から嵌脱自在に嵌合するヒューズ嵌合孔９５を備えている。
【００３１】
なお、周壁部９１、表壁部９２には、丸穴状、スリット状等の通気孔が多数設けられており、また内面側には電源基板３８側の位置決め孔等に嵌合する位置決め突起（図示省略）が一体に設けられている。
【００３２】
被支持部６２は、第１ケース体５１側の支持軸部６１に対応して設けられており、図９，図１０等に示すように、第１ケース体５１側の係合孔８５に後側から嵌合可能な嵌合支持部９６と、この嵌合支持部９６の先端側から支持軸部６１側の軸部８４の裏側（前側）に沿って外向き略直角方向に延設された嵌合延設部９７とで断面略Ｌ字状に形成されている。なお、周壁部９１には、図９に示すように、第１ケース体５１側の支持部８３が嵌合可能な切欠部９８が後ろ向き凹入状に形成されており、この切欠部９８間が嵌合支持部９６となっている。
【００３３】
また、右辺５７側の周壁部９１には、その一部が第１ケース体５１側の封止底壁部８６の周縁部に沿うように外向き膨出状に形成された封止周壁部１０１が設けられており、この封止周壁部１０１の後縁側に設けられ且つ封止底壁部８６に対向する封止後壁部１０２上に封止嵌合部６４が設けられている。
【００３４】
即ち、図６，図１１，図１２等に示すように、封止後壁部１０２には、封止ピン６３に対応する嵌合スリット１０３と、この嵌合スリット１０３の両側に略平行に配置された変形スリット１０４とが例えば左右方向に形成されており、これら３本のスリット１０３，１０４，１０３間に形成された一対の桁部１０５が封止嵌合部６４を構成している。また、桁部１０５の裏面側（前面側）には、封止ピン６３のピン頭部８８に対応する斜面状の圧入案内部１０６（図１１）が形成されている。
【００３５】
一対の桁部１０５は、その間の嵌合スリット１０３に封止ピン６３のピン頭部８８を圧入案内部１０６に沿って圧入したときにそのピン頭部８８を通過させることができる程度に変形スリット１０４側に弾性変形可能となっている。また、嵌合スリット１０３の幅は少なくとも封止ピン６３のピン後端部８８ｂの幅よりも狭く、例えばピン軸部８７の幅と略同程度に形成されており、ピン頭部８８が封止嵌合部６４を通過するとピン後端部８８ｂが桁部１０５の表面側（後面側）に引っ掛かり、ピン頭部８８を切断等しない限りその係合を解除できないようになっている。即ち、封止後に開封された電源基板ケース３９を再度封止することはできない。
【００３６】
なお、電源基板ケース３９は、封止ピン６３が封止嵌合部６４に嵌合して封止されたときにはじめて第１ケース体５１と第２ケース体５２とが完全に閉じた状態となり、封止が不完全な状態、即ち封止ピン６３が封止嵌合部６４に完全に嵌合していない状態では、第２ケース体５２の開閉端側、即ち右辺５７側が第１ケース体５１から浮き上がった状態となるように構成されている。
【００３７】
固定側係合部６６は、周壁部９１の前縁側に沿って配置され且つ周壁部９１の外面側に突設されている。また、固定側係合部６６には、その先端側の縁部に沿って係合リブ６６ａ（図７等）が後ろ向きに突設されている。
【００３８】
ロック係合部６９は、封止嵌合部６４の近傍の１又は複数箇所、例えば下側の封止嵌合部６４の上側近傍に配置されており、図６〜図８，図１２等に示すように、周壁部９１の前縁側に沿って配置され且つ周壁部９１の外面側に突設されたレール支持部１０７と、このレール支持部１０７の先端側縁部に沿って例えば後ろ向きに延設されたロックレール部１０８とで断面略Ｌ字状に形成されている。
【００３９】
基板ケース装着部５３は、図４，図７，図８，図１２等に示すように、裏機構板３１の背面側に沿って略鉛直方向に配置された底壁部１１１と、この底壁部１１１の周縁部に沿って後ろ向きに略一定幅で突設された周壁部１１２とを一体に備えた略トレー型に形成されており、第１ケース体５１の外面側（前面側）を底壁部１１１の背面側に沿わせた状態で電源基板ケース３９を後側から嵌合させることが可能となっている。
【００４０】
また、基板ケース装着部５３には、電源基板ケース３９側の固定側係合部６６に対応する固定側受け部６５と、電源基板ケース３９側のロック係合部６９と共にロック手段６８を構成するロック操作部６７とが設けられている。
【００４１】
固定側受け部６５は、電源基板ケース３９側の固定側係合部６６を保持するためのもので、例えば周壁部１１２の内側近傍に配置されており、固定側係合部６６が嵌合可能な例えば右向き開口状の開口孔により構成されている。なお、固定側受け部６５内には、固定側係合部６６側の係合リブ６６ａに係合可能な係合爪６５ａ（図７等）が一体に設けられている。
【００４２】
ロック操作部６７は、電源基板ケース３９側のロック係合部６９に係合するロック状態と係合しないロック解除状態との間で移動可能に構成されており、このロック操作部６７がロック状態となったときに、電源基板ケース３９が基板ケース装着部５３に装着された状態でロックされるようになっている。
【００４３】
このロック操作部６７は、例えば電源基板ケース３９側の２つの封止手段５９間に対応して配置された操作レール部１１３に沿って摺動自在に装着されている。操作レール部１１３は、図８，図１２等に示すように周壁部１１２に沿ってその一部に設けられており、底壁部１１１の後側に突出する後レール部１１３ａと、底壁部１１１の前側に突出する前レール部１１３ｂとで構成されている。
【００４４】
また、後レール部１１３ａの長手方向一端側には、電源基板ケース３９側のロック係合部６９に対応して切欠部１１４が形成されており、封止が完了した電源基板ケース３９を基板ケース装着部５３に装着したとき、ロック係合部６９がこの切欠部１１４に後側から嵌合して、ロック係合部６９側のロックレール部１０８が後レール部１１３ａと一列状に連結されるようになっている。
【００４５】
ロック操作部６７は、図７，図８，図１２等に示すように、合成樹脂等により例えば断面略Ｃ字状に形成され、操作レール部１１３の後レール部１１３ａと前レール部１１３ｂとを外側から抱き込むように装着されており、操作レール部１１３の一端側（ここでは上端側）のロック解除位置と、他端側（ここでは下端側）のロック位置との間で摺動可能となっている。
【００４６】
なお、ロック操作部６７は、ロック解除位置（図８に実線で示す位置）では操作レール部１１３の切欠部１１４から完全に外れ、ロック位置（図８に二点鎖線で示す位置）ではその切欠部１１４の少なくとも一部を覆うようになっている。従って、封止が完了した電源基板ケース３９を基板ケース装着部５３に装着した状態で、ロック操作部６７をロック解除位置からロック位置まで移動させると、ロック操作部６７が操作レール部１１３側の前レール部１１３ｂと電源基板ケース３９側のロックレール部１０８とを抱き込んで両者を前後に連結させた状態となり、電源基板ケース３９の基板ケース装着部５３への装着状態がロックされる。
【００４７】
また、ロック手段６８は、ロック操作部６７をロック位置で保持するためのロック保持手段１１５を備えている。このロック保持手段１１５は、図８等に示すように、例えばロック操作部６７のロック位置側端部又はその近傍に設けられ且つロック操作部６７の側面（例えば背面）に突出状に設けられた支点部１１６と、この支点部１１６の先端側からロック位置方向に延設された係脱部１１７と、支点部１１６の先端側からロック解除位置方向に延設された係脱操作部１１８とを一体に備えており、ロック操作部６７がロック位置にきたとき、係脱部１１７の先端側に設けられた係合爪１１７ａが、基板ケース装着部５３側に設けられた例えば突起状の被係合部１１９に係合してロック操作部６７のロック解除方向への移動を規制し、例えば係脱操作部１１８を押圧したとき、その係脱操作部１１８と共に係脱部１１７が弾性変形し、係合爪１１７ａの被係合部１１９への係合が解除されるようになっている。
【００４８】
以上のような電源基板ケース３９に電源基板３８を封入する際には、図１３に示すように、例えば電源基板３８のコネクタ７１、電源スイッチ７２、ヒューズ７３等を夫々コネクタ嵌合孔９３、電源スイッチ嵌合孔９４、ヒューズ嵌合孔９５に内側から嵌合させ、且つ電源基板３８側の位置決め孔等に第２ケース体５２側の位置決め突起を嵌合させつつ電源基板３８を第２ケース体５２の内側にセットする（図１３（ａ））。
【００４９】
そして、第１ケース体５１側の支持軸部６１の係合孔８５に第２ケース体５２側の被支持部６２の嵌合延設部９７を嵌合させ、両ケース体５１，５２の開閉端側、即ち右辺５７側を互いに近づけるように、第２ケース体５２に対して第１ケース体５１を軸部８４廻りに相対回転させる（図１３（ｂ））。
【００５０】
これにより、第１ケース体５１側の支持軸部６１と第２ケース体５２側の被支持部６２とが互いに係合すると共に、第１ケース体５１側の封止ピン６３のピン頭部８８が第２ケース体５２側の封止嵌合部６４の裏側に当接する（図１３（ｃ））。
【００５１】
このとき、電源基板ケース３９はまだ封止されておらず、両ケース体５１，５２の開閉端側は互いに離間した状態となる（以下、封止未完状態という）。
【００５２】
この封止未完状態から、両ケース体５１，５２に対してその開閉端側を互いに近づける方向に力を加えていくと、封止ピン６３が封止嵌合部６４に圧入され、やがて封止ピン６３のピン頭部８８が嵌合スリット１０３を通過したとき、ピン後端部８８ｂが封止嵌合部６４に離脱不能に係合して、第１ケース体５１と第２ケース体５２との封止が完了する  （図１３（ｄ））（以下、封止完了状態という）。
【００５３】
この封止完了状態の電源基板ケース３９を基板ケース装着部５３に取り付ける際には、図１４に示すように、まず電源基板ケース３９側の固定側係合部６６を基板ケース装着部５３側の固定側受け部６５に係合させつつ、第１ケース体５１の外面側（前面側）を基板ケース装着部５３側の底壁部１１１の背面側に沿わせるようにして電源基板ケース３９を基板ケース装着部５３に対して後側から嵌合させる（図１４（ａ），（ｂ））。
【００５４】
このとき、電源基板ケース３９側のロック係合部６９が、基板ケース装着部５３側の切欠部１１４に後側から嵌合して、ロック係合部６９側のロックレール部１０８が後レール部１１３ａと一列状に連結される（図１４（ｃ））。
【００５５】
この状態から、ロック操作部６７をロック解除位置からロック位置まで移動させると、ロック操作部６７が操作レール部１１３側の前レール部１１３ｂと電源基板ケース３９側のロックレール部１０８とを抱き込んで両者を前後に連結させた状態となり、電源基板ケース３９の基板ケース装着部５３への装着状態がロックされる（図１４（ｄ））。なお、ロック操作部６７がロック位置にきたときには、ロック保持手段１１５の係合爪１１７ａが基板ケース装着部５３側の被係合部１１９に係合する。これにより、ロック操作部６７のロック解除方向への移動が規制される。
【００５６】
一方、封止手段５９による電源基板ケース３９の封止が不完全な状態、例えば２つの封止手段５９のうちの少なくとも一方が封止未完状態であるにもかかわらず、その電源基板ケース３９を基板ケース装着部５３に取り付けようとしても、次のようにロック手段６８によるロックが不能で電源基板ケース３９の基板ケース装着部５３への装着状態をロックすることができず、取り付けを完了することができない。
【００５７】
即ち、封止手段５９が封止未完状態の場合には、少なくともその封止手段５９の近傍においては第２ケース体５２の開閉端側が第１ケース体５１から浮き上がった状態となるため、電源基板ケース３９を基板ケース装着部５３に装着しても、ロック係合部６９が切欠部１１４に完全に嵌合せず、ロック係合部６９側のロックレール部１０８を後レール部１１３ａに連結させることができない。
【００５８】
この状態でロック操作部６７をロック解除位置からロック位置方向に移動させようとしても、図１５に示すように、ロック操作部６７のロック位置側端部がロック係合部６９のロック解除位置側の端部に当接するため、ロック操作部６７をロック位置まで移動させること、即ち電源基板ケース３９の基板ケース装着部５３への装着状態をロックすることができない。
【００５９】
なお、図１５（ａ）は下側の封止手段５９のみが封止未完状態の場合、図１５（ｂ）は上側の封止手段５９のみが封止未完状態の場合を示しているが、全ての封止手段５９が封止未完状態の場合も同様であることは言うまでもない。
【００６０】
以上説明したように、本発明の第１の実施形態では、封止手段５９は、第１ケース体５１側に一体に設けられた封止ピン６３と、第２ケース体５２側に一体に設けられ且つ封止ピン６３を圧入することにより封止ピン６３が離脱不能に嵌合する封止嵌合部６４とを備え、封止ピン６３が封止嵌合部６４に嵌合して電源基板ケース３９が封止されたときにはじめて電源基板ケース３９が完全に閉じた状態となるように構成されているため、基板ケース３９を完全に閉じると同時に封止ピン６３による封止が完了することとなり、基板ケース３９の封止が不完全な状態で遊技機が工場から出荷されてしまう危険性を排除することができる。
【００６１】
また、電源基板ケース３９の基板ケース装着部５３への装着状態を解除可能にロックするロック手段６８を備え、このロック手段６８は、電源基板ケース３９が完全に閉じていない状態ではロック不能となるように構成されているため、電源基板ケース３９が封止されて完全に閉じられた状態でなければ、電源基板ケース３９を基板ケース装着部５３に装着した状態でロックすることができず、電源基板ケース３９の封止が不完全な状態で遊技機が工場から出荷されてしまう危険性を完全に排除することができる。
【００６２】
また、ロック手段６８は、電源基板ケース３９側に固定的に設けられたロック係合部６９と、基板ケース装着部５３側に設けられ且つロック係合部６９に係合するロック位置とロック係合部６９に係合しないロック解除位置との間で移動可能なロック操作部６７とを備え、電源基板ケース３９が完全に閉じていない状態ではロック操作部６７がロック解除位置からロック位置に移行不可能となるように構成しているため、簡単な構成であるにも拘わらず、電源基板ケース３９が完全に閉じていない状態では確実にロック不能とすることができる。
【００６３】
更に、ロック操作部６７のロック位置とロック解除位置との間の移動方向が、封止ピン６３の封止嵌合部６４に対する嵌合方向に略直交するように構成し、ロック係合部６９を、電源基板ケース３９側の封止手段５９の近傍に設け、また電源基板ケース３９は、第１ケース体５１側を基板ケース装着部５３側に沿わせつつ基板ケース装着部５３に装着されるように構成され、ロック係合部６９を第２ケース体５２上に配置しているため、封止ピン６３が封止嵌合部６４に嵌合していない状態ではロック操作部６７がロック係合部６９と干渉してロック位置まで移動させることが物理的に不可能となるようにすることができ、より簡単且つ確実に、電源基板ケース３９が完全に閉じていない状態ではロック不能とすることができる。
【００６４】
図１６〜図１８は本出願の第２の実施形態を例示し、基板ケース３９が閉じた状態で第１ケース体５１と第２ケース体５２とを互いに係脱自在に係合させるケース係合手段１２１を備え、封止手段５９による封止が不完全な状態でも、その状態のままで基板ケース３９を撓ませることによりケース係合手段１２１による係合が可能となるように構成した例を示している。
【００６５】
本実施形態の電源基板ケース３９には、一対の封止手段５９，５９の略中間位置にケース係合手段１２１が設けられている。
【００６６】
このケース係合手段１２１は、第１ケース体５１と第２ケース体５２との何れか一方、例えば第１ケース体５１側に設けられた被係合部１２２と、他方の例えば第２ケース体５２側に設けられ且つ第１ケース体５１と第２ケース体５２とが閉じた状態で被係合部１２２に係脱自在に係合可能な係合部１２３とを備えている。
【００６７】
被係合部１２２は、例えば第１ケース体５１の周設リブ８２から外向きに一体形成された突起により構成されている。また、係合部１２３は、例えば周壁部９１上に設けられており、被係合部１２２への係脱が可能な程度に面外方向に弾性変形可能となっている。
【００６８】
また、ケース係合手段１２１とその両側の封止手段５９は、封止手段５９が封止未完状態であっても、電源基板ケース３９の例えば第１ケース体５１側を撓ませることにより、その封止未完状態のままでケース係合手段１２１による係合（以下、仮止めという）が可能となる程度の距離をおいて配置されている。
【００６９】
このような仮止めを可能とすることで、完全に封止を行う前でも、電源基板ケース３９を一体として取り扱うことができるため、例えば組み立て工程における作業効率が向上する利点がある。
【００７０】
その他、ロック係合部６９を封止手段５９の近傍に設けた構成など、以上説明した以外の構成については、基本的に第１の実施形態と同様にすることができる。
【００７１】
また、本実施形態についても、第１の実施形態と同様、電源基板ケース３９が封止されて完全に閉じられた状態でなければ、電源基板ケース３９を基板ケース装着部５３に装着した状態でロックすることができず、電源基板ケース３９の封止が不完全な状態で遊技機が工場から出荷されてしまう危険性を完全に排除することができる。
【００７２】
即ち、例えば電源基板ケース３９が仮止めされた状態（図１８（ｂ））では、第１ケース体５１側が撓むことによりケース係合手段１２１は係合状態となっているものの、封止手段５９は封止未完状態であるため、封止完了状態の場合（図１８（ａ））と異なり、基板ケース装着部５３に装着しても、封止手段５９の近傍に設けられているロック係合部６９は切欠部１１４に完全に嵌合せず、ロック係合部６９側のロックレール部１０８を後レール部１１３ａに連結させることができない。
【００７３】
この状態でロック操作部６７をロック解除位置からロック位置方向に移動させようとしても、図１８（ｃ）に示すように、ロック操作部６７のロック位置側端部がロック係合部６９のロック解除位置側の端部に当接するため、ロック操作部６７をロック位置まで移動させること、即ち電源基板ケース３９の基板ケース装着部５３への装着状態をロックすることはできない。
【００７４】
以上、本発明の実施形態について詳述したが、本発明はこれらの実施形態に限定されるものではなく、本発明の趣旨を逸脱しない範囲で種々の変更が可能である。例えば、ロック手段６８は、ロック係合部６９を基板ケース装着部５３側に、ロック操作部６７を電源基板ケース３９側に配置してもよい。
【００７５】
ロック操作部６７の配置位置及び移動方向は任意であり、例えば基板ケース装着部５３の上部又は下部に配置し、電源基板ケース３９の上縁側又は下縁側に沿って左右方向に移動可能としてもよい。
【００７６】
また、ロック操作部６７は、基板ケース３９が完全に閉じていない状態では例えばロック係合部６９と干渉してロック解除位置からロック位置に移行不可能となるように構成されていればよく、実施形態で示したスライド式の他、回転式、フック式等、どのようなものでもよい。
【００７７】
封止手段５９は１個でもよいし、３個以上設けてもよい。
【００７８】
本発明に係る基板ケースは、電源基板３８を格納する電源基板ケース３９に限られるものではなく、演出制御基板２２を格納する演出基板ケース２３、主制御基板２４を格納する主基板ケース２５、払い出し制御基板４０を格納する払い出し基板ケース４１等にも同様に適用可能である。
【００７９】
また、実施形態では本発明をパチンコ機に適用した例を示したが、アレンジボール機、スロットマシン等の各種遊技機においても同様に実施可能であることは言うまでもない。
【図面の簡単な説明】
【００８０】
【図１】本発明の第１の実施形態を示すパチンコ機の正面図である。
【図２】本発明の第１の実施形態を示すパチンコ機の背面図である。
【図３】本発明の第１の実施形態を示すパチンコ機の電源基板ケース近傍の拡大背面図である。
【図４】本発明の第１の実施形態を示す基板ケース装着部の背面図である。
【図５】本発明の第１の実施形態を示す第１ケース体の背面図である。
【図６】本発明の第１の実施形態を示す第２ケース体の背面図である。
【図７】本発明の第１の実施形態を示す電源基板ケース及び基板ケース装着部の分解底面断面図である。
【図８】本発明の第１の実施形態を示す電源基板ケース及び基板ケース装着部の分解右側面断面図である。
【図９】本発明の第１の実施形態を示す電源基板ケースの左側面断面図である。
【図１０】本発明の第１の実施形態を示す電源基板ケース及び基板ケース装着部の要部拡大断面図である。
【図１１】本発明の第１の実施形態を示す電源基板ケースの要部拡大断面図である。
【図１２】本発明の第１の実施形態を示す電源基板ケース及び基板ケース装着部の要部分解斜視図である。
【図１３】本発明の第１の実施形態を示す電源基板ケースの封止手順の説明図である。
【図１４】本発明の第１の実施形態を示す電源基板ケースの取り付け手順の説明図である。
【図１５】本発明の第１の実施形態を示すロック不能状態の説明図で、（ａ）は下側の封止手段のみが封止未完状態の場合、（ｂ）は上側の封止手段のみが封止未完状態の場合を示す。
【図１６】本発明の第２の実施形態を示す電源基板ケースの背面図である。
【図１７】本発明の第２の実施形態を示すケース係合手段近傍の拡大図である。
【図１８】本発明の第２の実施形態を示す電源基板ケース及び基板ケース装着部の側面図で、（ａ）は封止完了状態の電源基板ケース、（ｂ）は仮止め状態の電源基板ケース、（ｃ）は仮止め状態の電源基板ケースを基板ケース装着部に取り付けようとした場合を示す。
【符号の説明】
【００８１】
３８  電源基板（基板）
３９  電源基板ケース（基板ケース）
５１  第１ケース体
５２  第２ケース体
５３  基板ケース装着部
５９  封止手段
６３  封止ピン
６４  封止嵌合部
６７  ロック操作部
６８  ロック手段
６９  ロック係合部
１２１  ケース係合手段
【図１】
2007190251.tif 000003
【図２】
2007190251.tif 000004
【図３】
2007190251.tif 000005
【図４】
2007190251.tif 000006
【図５】
2007190251.tif 000007
【図６】
2007190251.tif 000008
【図７】
2007190251.tif 000009
【図８】
2007190251.tif 000010
【図９】
2007190251.tif 000011
【図１０】
2007190251.tif 000012
【図１１】
2007190251.tif 000013
【図１２】
2007190251.tif 000014
【図１３】
2007190251.tif 000015
【図１４】
2007190251.tif 000016
【図１５】
2007190251.tif 000017
【図１６】
2007190251.tif 000018
【図１７】
2007190251.tif 000019
【図１８】
2007190251.tif 000020